(57)【要約】【課題】本発明は、目に付きやすく、かつ、複数の点検日の情報を盛り込めることができる点検日確認表を提供することを課題とする。【解決手段】本発明にかかる点検日確認表１は、余白欄６を有する挿入フォーム２と、挿入フォーム２の余白欄６に挿入された確認マーク３と、を備えている。挿入フォーム２は納車日の属する月から１３か月分のカレンダー形式のフォームであって、確認マーク３は納車日及び複数の点検日を示すマークを含む。確認マーク３は挿入フォーム２の対応する日付の余白欄６に挿入されていることを特徴とする。【選択図】図１
2008183826.tif 000002
【特許請求の範囲】
【請求項１】
余白欄を有する挿入フォームと、
該挿入フォームの余白欄に挿入された確認マークと、を備え、
前記挿入フォームは納車日の属する月から１３か月分のカレンダー形式のフォームであって、
前記確認マークは納車日及び複数の点検日を示すマークを含み、
前記確認マークは挿入フォームの対応する日付の余白欄に挿入されていることを特徴とする、点検日確認表。
【請求項２】
点検日データを入力するデータ入力工程と、
前記データ入力工程で入力された前記点検日データを送信するデータ送信工程と、
前記データ送信工程で送信された前記点検日データをインターネットを介して受信するデータ受信工程と、
受信した前記点検日データに基づいて挿入フォームの余白欄に確認マークを挿入する挿入工程と、
前記確認マークが挿入された挿入フォームを印刷する印刷工程と、を備え、
前記挿入フォームは納車日の属する月から１３か月分のカレンダー形式のフォームであって、
前記確認マークは納車日及び複数の点検日を示すマークを含み、
前記挿入工程において、前記確認マークは挿入フォームの対応する日付の余白欄に挿入されることを特徴とする、点検日確認表作成方法。
【発明の詳細な説明】
【技術分野】
【０００１】
本発明は、自動車等の点検日を確認するための点検日確認表に関し、また、点検日確認表の作成方法に関する。
【背景技術】
【０００２】
自動車をはじめとする乗り物は、定期的な点検が推奨されている。例えば、自動車の場合、新車であれば、納車日の１ヶ月後、６ヶ月後、及び１２ヶ月後に定期点検を行うのが理想である。このように、あらかじめ行うべき点検日は決まっているものの、その点検日の間隔は必ずしも一定ではなく、自動車の購入者は点検日を忘れてしまうことが多い。そこで、自動車の販売者は、自動車の購入者が点検日を忘れないように、点検日が記載された点検日一覧表を納車時に渡したりすることがある。ところが、点検日一覧表は、車内のダッシュボードに入れられることが多く、購入者の目に触れる場所に置かれることは希であり、また、場合によっては点検日一覧表自体を紛失することもあった。そのため、購入者は点検日が来てもそれに気づかないことがよくある。
【０００３】
これに対して、自動車の販売者が、次の点検日を表示したステッカーを車内に貼るという対策も従来から行われてきた。ところが、ステッカーを車内に貼り付けた場合であっても、購入者は点検日に気づかないことがあることから、特許文献１では、発光体が取り付けられた自動車用点検ステッカーを提案している。この発光体は、点検日が近づくと点灯するという構成を有している。かかる構成によれば、点検日が近づくと、視覚的に購入者等に知らせることができるため、点検の遅延を防止することができる。
【特許文献１】特開平９ー２１８６４６号公報
【発明の開示】
【発明が解決しようとする課題】
【０００４】
しかしながら、ステッカーを利用して購入者等に点検日を知らせる方法は、次回の点検日を確認させることができるものの、さらに次の点検日を確認させるのには向いていない。そのため、ステッカーは点検が終わった後に次のものが貼られるのが一般的で、一度点検を怠ると、次回の点検日がわからなくなってしまうという欠点があった。
【０００５】
これらの点をふまえ、本発明は、目に付きやすく、かつ、複数の点検日の情報を盛り込めることができる点検日確認表を提供することを課題としている。
【課題を解決するための手段】
【０００６】
上記課題を解決するため、本発明に係る点検日確認表は、余白欄を有する挿入フォームと、該挿入フォームの余白欄に挿入された確認マークと、を備え、前記挿入フォームは納車日の属する月から１３か月分のカレンダー形式のフォームであって、前記確認マークは納車日及び複数の点検日を示すマークを含み、前記確認マークは挿入フォームの対応する日付の余白欄に挿入されていることを特徴とする。かかる構成によれば、点検日確認表をカレンダーとして違和感なく生活空間に置いておくことができ、また、点検日確認表に納車日から納車後１３ヶ月までの全ての点検日を明記することができる。
【０００７】
さらに、本発明に係る点検日確認表作成方法は、点検日データを入力するデータ入力工程と、前記データ入力工程で入力された前記点検日データを送信するデータ送信工程と、前記データ送信工程で送信された前記点検日データをインターネットを介して受信するデータ受信工程と、受信した前記点検日データに基づいて挿入フォームの余白欄に確認マークを挿入する挿入工程と、前記確認マークが挿入された挿入フォームを印刷する印刷工程と、を備え、前記挿入フォームは納車日の属する月から１３か月分のカレンダー形式のフォームであって、前記確認マークは納車日及び複数の点検日を示すマークを含み、前記挿入工程において、前記確認マークは挿入フォームの対応する日付の余白欄に挿入されることを特徴とする。
【発明の効果】
【０００８】
以上の説明から明らかなように、本発明によれば、点検日確認表をカレンダーとして違和感なく生活空間に置いておくことができ、また、点検日確認表に納車日から納車後１３ヶ月までの全ての点検日を明記することができる。よって、本発明によれば、目に付きやすく、かつ、複数の点検日の情報を盛り込めることができる点検日確認表を提供することができる。
【発明を実施するための最良の形態】
【０００９】
以下、本発明に係る実施形態について図を参照して説明する。
【００１０】
まず、本発明の実施形態に係る点検日確認表１について説明する。図１は本発明の実施形態に係る点検日確認表１を示した図であって、１ヶ月分の点検日確認表１を示している。図１に示すように、点検日確認表１は、挿入フォーム２と、確認マーク３と、添付写真４と、添付テキスト５と、を備えている。以下、各構成について説明する。
【００１１】
挿入フォーム２は、点検日確認表１のベースとなる部分である。図２は、本発明の実施形態に係る挿入フォーム２を示した図であって、図１の点検日確認表１に対応するものである。図２に示すように、挿入フォーム２は、各部分に余白欄６〜８を有している。これらの余白欄６〜８には、確認マーク３、添付写真４、及び添付テキスト５が挿入される（図１参照）。また、挿入フォーム２はカレンダー形式のフォームとなっており、納車日の属する月から１３ヶ月分のフォームで構成されている。例えば、納車日が２００７年１月１７日の場合、挿入フォーム２は、２００７年１月から２００８年１月までの１３か月分のフォームで構成される。つまり、挿入フォーム２は、図２のような１ヶ月分のフォームが１３枚１組になったものである。このように、挿入フォーム２を１３か月分とすることで、納車日から１年後の１２ヶ月点検日も点検日確認表１に含めることができる。また、挿入フォーム２をカレンダー状にすることで、点検日確認表１をカレンダー代わりに使用できるため、目に触れる場所に置いても邪魔になることはない。さらに、挿入フォーム２は１ヶ月単位で１３枚のフォームから構成されるため、１３ヶ月分の点検日の情報を全て含めることができる。
【００１２】
また、図２に示すように、挿入フォーム２の中央部分を含むほとんどの部分は、格子状の枠９で占められており、各升の上部には日にちと六曜（大安、仏滅等）が記載されている。各升の中央部から下部にかけては余白欄６となっている。また、挿入フォームの左上部には、前の月のカレンダー１０が記載され、右上部には次の月のカレンダー１１が記載されている。挿入フォーム２の上部中央には、上記の格子状の枠とは別の枠１２が設けられており、その枠１２内の左上部にはフォームに対応する月が記載されている。図２の場合、１月分のフォームであるため、枠１２には「１」と記入されている。この枠１２の他の部分は、余白欄７となっている。さらに、挿入フォーム２の下部は、特に枠が設けられていないが、この部分も余白欄８となっている。
【００１３】
確認マーク３は、挿入フォーム２の空白欄７に挿入され、納車日及び各点検日を自動車の購入者に認識させる役割を有している。本実施形態では、確認マーク３は原則として自動車の図と点検の名称等の文字列とから構成されている。確認マーク３は、挿入フォーム２の納車日及び各点検日に該当する日付が記載された升１２内の余白欄６（図２参照）に挿入されている。例えば、図１に示すように、納車日が１月１７日の場合、自動車の絵の下に「祝！納車」という文字列から成る確認マーク３が１月１７日の空白欄６に挿入されている。なお、文字列は、１ヶ月点検時には「初回点検」、６ヶ月点検時には「６ヶ月点検」、１２ヶ月点検時には「１２ヶ月点検」となる。このように、挿入フォームうち、対応数する日の余白に確認マークを挿入されることで、自動車の購入者は、点検日等が近づいていることを確実に確認することができ、また、点検日等までの期間の確認も容易に行うことができる。さらに、自動車の点検日とは別に自動車の購入者の誕生日を表示するようにしてもよい。この場合は、対応する余白欄６には、花の絵と「Happy Birthday」という文字列とから成る確認マーク３が挿入されようにしてもよい。
【００１４】
添付写真４は、挿入フォーム２に挿入されるオリジナルの写真である。図１に示すように、添付写真４は、挿入フォーム２の上部中央に設けられた枠１２の余白欄７（図２参照）に挿入される。添付写真４として、例えば、自動車とその自動車の購入者とが並んで写っている写真を使用することができる。このように、自動車購入者のオリジナルの写真を挿入フォーム２に挿入することで、自動車購入者には、点検日確認表１を目に付く所に置き、積極的に見ようとするインセンティブが働く。なお、本実施形態では、添付写真４は、挿入フォーム２の各フォーム１３枚全てに共通であるが、月ごとに異なる添付写真４を挿入するようにしてもよい。
【００１５】
添付テキスト５は、挿入フォーム２に挿入されるオリジナルの文字列である。図１に示すように、添付テキスト５は、挿入フォーム２の下部中央の余白欄８（図２参照）に挿入される。添付テキスト５として、例えば、自動車の販売店名とその電話番号にすることができる。このように挿入フォーム２に自動車の販売店名等を挿入することで、自動車の購入者は販売店の連絡先がすぐにわかり、また、販売店の宣伝にもなる。以上が本発明の実施形態にかかる点検日確認表１の説明である。
【００１６】
次に、本発明の実施形態にかかる点検日確認表の作成方法について説明する。点検日確認表作成方法は、データ入力工程と、データ送信工程と、データ受信工程と、挿入工程と、印刷工程と、を備えている。以下、各工程について説明する。
【００１７】
データ入力工程は、発注者（例えば、自動車販売店の担当者）が点検日データを入力する工程である。まず、発注者は、受注者（例えば、点検日確認表作成会社の担当者）が作成したインターネット上の所定のページにアクセスする。そうすると、図１に示すような、データ入力フォーム１３が現れる。このデータ入力フォーム１３の各入力欄１４〜２１に点検日データを入力（選択）する。点検日データには、販売店舗名、販売店電話番号、写真添付、誕生日、納車日、１ヶ月点検日、６ヶ月点検日、および１２ヶ月点検日のデータが含まれる。なお、点検日データに、上記項目以外のデータを含めても良い。例えば、発注担当者名や自動車の購入者名のデータを含めて、点検日確認表に反映しても良い。
【００１８】
データ送信工程は、発注者が受注者に点検日データを送信する工程である。図１のデータ入力フォーム１３の各入力欄１４〜２１に必要な点検日データを入力（選択）して、画面の下側にある「送信」ボタン２２をクリックする。これにより、点検日データがインターネットを介して受注者側に送信される。
【００１９】
データ受信工程は、発注者が送信した点検日データを受注者が受信する工程である。受注者は、発注者が送信した点検日データをインターネットを介して受信する。受信するデータの形式は様々あるが、本実施形態では、点検日データが表形式に変換された状態で受信する。例えば、発注者が点検日データを送信すると、受注者に電子メールが送られるようにしてもよい。この際、写真添付以外の点検日データはメールの本文中に表形式で記載され、写真添付のデータがこのメールに添付されるようにしてもよい。
【００２０】
挿入工程は、受注者が受信した点検日データに基づいて挿入フォーム２の余白欄６〜８に確認マーク３等を挿入する工程である。点検日データのうち、納車日、各点検日、及び誕生日のデータから、挿入フォーム２の該当する日付が入った升の余白欄６に確認マーク３を挿入する（図１参照）。また、写真添付のデータから、添付写真４として挿入フォーム２上部中央の余白欄７に挿入する（図１参照）。さらに、販売店舗名と販売店電話番号のデータから、これらを添付テキスト５として挿入フォームの下部中央の余白欄８に挿入する（図１参照）。ここで、挿入工程は、表形式に変換された点検日データを見ながら、受注者がパソコンを使用して確認マーク３等を挿入フォーム２に挿入する。ただし、受注者が手作業で入力フォーム２に確認マーク３を挿入するのではなく、受信した点検日データに基づいて自動で挿入できるようにしてもよい。
【００２１】
印刷工程は、確認マーク３等が挿入された挿入フォーム２を印刷する工程である。受注者は、確認マーク３等が挿入された挿入フォーム２に間違いが無いことを確認し、修正がある場合は修正を行ってから、確認マーク３等が挿入された挿入フォーム２を印刷する。このとき、挿入フォーム２の印刷は、納入日を含む月から１３ヶ月分を印刷する。以上の工程を経ることで点検日確認表１が完成する。
【００２２】
以上、本発明に係る実施形態について図を参照して説明した。なお、上記で説明した実施形態では挿入フォーム２が１ヶ月単位で分けられているが、これに代えて複数月を１単位として分けても良い。例えば、挿入フォーム２を１３ヶ月単位として、１枚のフォームに１３ヶ月分全て含めるようにしても良い。なお、本発明は前述した実施形態に限定されるものではなく、本発明の趣旨を逸脱しない範囲でその構成を変更、追加、又は削除することができる。
【産業上の利用可能性】
【００２３】
以上のように、本発明に係る点検日確認表は、目に付きやすく、かつ、複数の点検日の情報を盛り込めることができる。よって、点検日確認表の技術分野において有益である。
【図面の簡単な説明】
【００２４】
【図１】本発明の実施形態に係る点検日確認表の図である。
【図２】図１に示す挿入フォームの図である。
【図３】本発明の実施形態に係るデータ入力工程で使用する入力フォームの図である。
【符号の説明】
【００２５】
１  点検日確認表
２  挿入フォーム
３  確認マーク
４  添付写真
５  添付テキスト
６〜８  余白欄
【図１】
2008183826.tif 000003
【図２】
2008183826.tif 000004
【図３】
2008183826.tif 000005